(57)【要約】【課題】プラグを着脱する作業がやりやすい床用配線部材及びそれを用いた床用配線器具を提供する。【解決手段】床用配線部材１は、取付プレート２と、丸形の蓋部３とを備える。取付プレート２は、床下に配置されてプラグが着脱される配線器具５を露出させる開口部８を有し床面に取り付けられる。蓋部３は、取付プレート２に回転自在に支持されて開口部８を開閉する。軸４は、閉状態の蓋部３の表面と垂直な方向から見た場合に、配線器具５にプラグが着脱される着脱方向に対して軸４の軸方向が斜めに交差し、且つ、蓋部３の中心Ｃ１を通ってプラグの着脱方向と平行する直線Ｌ１との距離がプラグの取り外し方向に行くにつれて大きくなるように設けられる。【選択図】図１
2015070707.tif 000002
【特許請求の範囲】
【請求項１】
床下に配置されてプラグが着脱される配線器具を露出させる開口部を有し床面に取り付けられる取付プレートと、
前記取付プレートに回転自在に支持されて前記開口部を開閉する丸形の蓋部とを備え、
前記蓋部を回転自在に支持する軸は、前記蓋部が閉じている状態で前記蓋部の表面と垂直な方向から見た場合に、前記プラグの着脱方向に対して前記軸の軸方向が斜めに交差し、且つ、前記蓋部の中心を通って前記着脱方向と平行する第１直線と前記軸との距離が前記プラグの取り外し方向に行くにつれて大きくなるように設けられたことを特徴とする床用配線部材。
【請求項２】
前記軸は、前記蓋部が閉じている状態で前記蓋部の表面と垂直な方向から見た場合に、前記第１直線を、０度より大きく且つ９０度より小さい所定の角度右回りに回転させた第２直線と平行するように設けられたことを特徴とする請求項１に記載の床用配線部材。
【請求項３】
配線器具及び前記配線器具を床下に取り付けるための取付部材を有する器具ブロックと、請求項１又は２の何れかに記載の床用配線部材とを備えたことを特徴とする床用配線器具。
【発明の詳細な説明】
【技術分野】
【０００１】
本発明は、床用配線部材及びそれを用いた床用配線器具に関する。
【背景技術】
【０００２】
従来、床下に配置された配線器具を露出させる開口部を有し、床材に取り付けられるプレート部材と、プレート部材に回転自在に支持されて開口部を塞ぐ蓋材とを備えた床用配線部材があった（例えば特許文献１参照）。
【先行技術文献】
【特許文献】
【０００３】
【特許文献１】特開２０１２−２４４８７１号
【発明の概要】
【発明が解決しようとする課題】
【０００４】
特許文献１に記載の床用配線部材では、蓋材を開いて、床下に配置された配線器具にプラグを着脱する作業を行うため、開口部が狭いとプラグを着脱する作業がやりにくかった。
【０００５】
本発明は上記課題に鑑みて為されており、その目的とするところは、プラグを着脱する作業がやりやすい床用配線部材及びそれを用いた床用配線器具を提供することにある。
【課題を解決するための手段】
【０００６】
上記課題を解決するために、本発明の床用配線部材は、取付プレートと、丸形の蓋部とを備える。前記取付プレートは、床下に配置されてプラグが着脱される配線器具を露出させる開口部を有し床面に取り付けられる。前記蓋部は、前記取付プレートに回転自在に支持されて前記開口部を開閉する。前記蓋部を回転自在に支持する軸は、前記蓋部が閉じている状態で前記蓋部の表面と垂直な方向から見た場合に、前記プラグの着脱方向に対して前記軸の軸方向が斜めに交差する。且つ、前記蓋部を回転自在に支持する前記軸は、前記蓋部が閉じている状態で前記蓋部の表面と垂直な方向から見た場合に、前記蓋部の中心を通って前記着脱方向と平行する第１直線と軸との距離が前記プラグの取り外し方向に行くにつれて大きくなるように設けられたことを特徴とする。
【０００７】
この発明において、前記軸は、前記蓋部が閉じている状態で前記蓋部の表面と垂直な方向から見た場合に、前記第１直線を、０度より大きく且つ９０度より小さい所定の角度右回りに回転させた第２直線と平行するように設けられたことも好ましい。
【０００８】
本発明の床用配線器具は、配線器具及び前記配線器具を床下に取り付けるための取付部材を有する器具ブロックと、前記した何れかの床用配線部材とを備えたことを特徴とする。
【発明の効果】
【０００９】
本発明の床用配線部材では、蓋部を回転自在に支持する軸の軸方向が、閉状態の蓋部の表面と垂直な方向から見た場合に、プラグの着脱方向に対して斜めに交差する。蓋部を回転自在に支持する軸は、閉状態の蓋部の表面と垂直な方向から見た場合に、蓋部の中心を通って着脱方向と平行する第１直線からの距離がプラグの取り外し方向に行くにつれて大きくなるように設けられている。したがって、取付プレートの開口部は、プラグの着脱方向において、プラグの取り外し方向に行くにつれて開口部の幅を広くすることができ、蓋部が邪魔にならずに開口部に手を入れやすくなり、プラグを着脱する作業がやりやすくなる。
【００１０】
本発明の床用配線器具は、前記した床用配線部材を備えているので、プラグを着脱する作業がやりやすい床用配線器具を提供することができる。
【図面の簡単な説明】
【００１１】
【図１】本実施形態の床用配線器具を示し、（ａ）は蓋部が閉じた状態の上面図、（ｂ）は蓋部が開口した状態の上面図、（ｃ）は背面図、（ｄ）は右斜め後側から見た斜視図である。
【図２】本実施形態の床用配線器具を示し、（ａ）は蓋部の一部が開口した状態の上面図、（ｂ）は正面図、（ｃ）は右側面図である。
【図３】本実施形態の床用配線器具が床面に取り付けられた状態の断面図である。
【発明を実施するための形態】
【００１２】
本発明に係る床用配線部材を備えた床用配線器具の実施形態を図１〜図３に基づいて説明する。以下の説明では図１（ａ）に示す向きを基準として左右の方向を規定し、図１（ａ）における上方向を後方向、図１（ａ）における下方向を前方向として説明する。また、図２（ｂ）に示す向きを基準として上下の方向を規定するが、実際の使用状態での方向を限定する趣旨ではない。
【００１３】
本実施形態の床用配線器具１０は、図３に示すように配線器具５及び配線器具５を床下に取り付けるための取付金具６ａ（取付部材）を有する器具ブロック６と、床用配線部材１とを備える。尚、床用配線部材１は、本実施形態で説明する床用配線器具１０に用いられることに限定されない。
【００１４】
床用配線部材１は、取付プレート２と蓋部３とを備える。
【００１５】
取付プレート２は、図１（ａ）〜（ｄ）に示すように例えばアルミダイキャストにより丸形の平板状に形成されている。取付プレート２の中央部には、取付プレート２を上下方向に貫通する開口部８が設けられている。
【００１６】
開口部８は、床下に配置される配線器具５を露出するために設けられている。開口部８の後側の縁部分には、開口部８の内側方向に突出する載置片２１が設けられており、載置片２１には蓋部３が閉じた状態で蓋部３の後側の縁部分が載置される。載置片２１には、取付ねじを通すための長孔２２が形成されている。開口部８の前側の縁部分には、開口部８の内側方向に突出する載置片２３が設けられており、載置片２３には蓋部３が閉じた状態で蓋部３の前側の縁部分が載置される。載置片２３には取付ねじを通すための丸孔２４が形成されている。
【００１７】
ここで、蓋部３を回転自在に支持する軸４の取付プレート２に対する取付位置について、図１を参照して説明する。
【００１８】
軸４は、閉状態の蓋部３の表面と垂直な方向（上下方向）から見た場合に、配線器具５にプラグ１６が着脱される着脱方向（図１（ｂ）の矢印Ｄ１に沿う方向）に対して軸４の軸方向が斜めに交差するように設けられている。尚、蓋部３の表面と垂直な方向とは、蓋部３の表面と直角に交差している方向に限定されず、人の目で見てほぼ直交しているとみなせる方向であれば、直交方向から多少（数度程度）ずれていてもよい。また軸４は、閉状態の蓋部３の表面と垂直な方向から見た場合に、蓋部３の中心Ｃ１を通って矢印Ｄ１の方向と平行する直線Ｌ１（第１直線）との距離が配線器具５からプラグ１６を取り外す方向（矢印Ｄ１の方向）に行くにつれて大きくなるように設けられている。軸４の両端は取付プレート２の内周部に設けられた軸受部２５にそれぞれ支持されている。
【００１９】
蓋部３は、蓋本体３０及び通線用扉３３を備えている。蓋本体３０及び通線用扉３３はそれぞれ、例えばアルミニウムのダイキャスト成形品である。
【００２０】
蓋本体３０は、上面視の形状が丸形の平板状に形成されており、蓋本体３０の前側には、ケーブルを通すための溝３０ａが形成されている。蓋本体３０の背面側の外周部には、軸４を回転自在に保持する保持部３１ａが設けられている。蓋本体３０は、図１（ｄ）に示すように軸孔３１ｂに通された軸４を中心に回転自在に支持されている。閉状態の蓋本体３０は、載置片２１，２３の上に配置されて開口部８を覆っており、蓋本体３０の上面が床面と平行な状態になる。
【００２１】
蓋本体３０の右端部には、開閉用ボタン３２ａが上面に露出するように設けられている。開閉用ボタン３２ａは、蓋部３の背面側に蓋本体３０の外周部から蓋本体３０の径方向の外向きに突出する保持片３２ｂと一体に形成されている。保持片３２ｂは、ばね（図示せず）により外向きに突出する方向の力を受けている。蓋本体３０が閉じられた状態では、保持片３２ｂが取付プレート２の裏面に引っかかることによって、蓋本体３０が閉じた状態で保持されている。閉状態の蓋本体３０において、開閉用ボタン３２ａをばね力に抗して蓋本体３０の径方向の内向きに移動させると、保持片３２ｂが蓋本体３０の内側に収納され、そのまま蓋本体３０を回転させることで蓋部３を開くことができる。
【００２２】
蓋本体３０には、溝３０ａを開閉する矩形板状の通線用扉３３が取り付けられており、通線用扉３３の前側の１辺は蓋本体３０の外周部の一部を形成している。通線用扉３３の後側には左右方向に沿う軸（図示せず）が設けられていて、通線用扉３３は図３に示すように、前側斜め上向きに開口するように回転自在に支持されている。通線用扉３３の左右両側の縁部にはそれぞれ、下方向に突出する平板上の脚片３４が設けられている。それぞれの脚片３４の間には、図２（ｂ）に示すように通線用扉３３の開口を通して床面に配線される電線１４を保護するためのブッシング３５が取り付けられている。
【００２３】
次に、器具ブロック６について、図３を参照して説明する。
【００２４】
器具ブロック６は、配線器具５及び配線器具５を床下に取り付けるための取付金具６ａを有し、床材１１に設けた孔１２ａ内に配置される。
【００２５】
床材１１は、コンクリートの床部１２と表面材１３を備える。床部１２の表面には表面材１３が取り付けられており、床部１２及び表面材１３には、床部１２に埋設された配線ボックス７ａを露出させるための孔１２ａが設けられている。孔１２ａは、上面視の形状が取付プレート２の鍔部２０よりもやや小さい円形状に形成されている。
【００２６】
配線ボックス７ａは、上面に開口部（図示せず）を有する矩形箱状に形成されている。配線ボックス７ａには、それぞれねじ孔（図示せず）が設けられた２つの固定片７ｂが設けられ、取付プレート２を取り付けるための取付ねじ７ｃ，７ｄが、それぞれ対応する固定片７ｂのねじ孔にねじ込まれる。配線ボックス７ａの側面には、床部１２内に埋設された電線管１５が取り付けられる。
【００２７】
配線器具５は、配線ボックス７ａの内側に配置される。配線器具５は、例えば大角形連用配線器具として規格化されたＡＣ１００Ｖ用のコンセントであり、合成樹脂製の取付枠６ｂに取り付けられている。配線器具５は接続口を取付金具６ａの開口部（図示せず）から露出させた状態で、取付枠６ｂが取付金具６ａにねじ止めされている。取付金具６ａは、図３に示すように配線器具５の接続口が斜め上向きとなるように配線器具５を保持している。取付金具６ａに配線器具５が取り付けられた状態で、取付金具６ａを配線ボックス７ａの上面に設けられている固定片７ｂのねじ孔に取付ねじ７ｅでねじ止めする。
【００２８】
配線器具５に接続される電線（図示せず）は、電線管１５内を通って例えば配電盤等に接続される。尚、配線器具５はＡＣ１００Ｖ用のコンセントに限定されず、例えばＬＡＮ（Local Area Network）コンセントやモジュラージャック等の適宜の接続口を備えていてもよい。また、本実施形態における配線器具５の接続口は２個であるが、適宜の個数でもよい。
【００２９】
ここで、配線ボックス７ａ内に配線器具５が固定された状態で、取付プレート２を床材１１上に取り付ける手順を説明する。
【００３０】
配線ボックス７ａに設けられた２つの固定片７ｂのねじ孔（図示せず）と取付プレート２の長孔２２及び丸孔２４の位置を合わせた状態で、取付プレート２を床材１１上（床面）に配置する。蓋部３を開けた状態で、取付プレート２の丸孔２４に通された取付ねじ７ｃが一方の固定片７ｂのねじ孔にねじ込まれ、長孔２２に通された取付ねじ７ｄが他方の固定片７ｂのねじ孔にねじ込まれることにより、取付プレート２が配線ボックス７ａに取り付けられる。取付プレート２は、床部１２内に埋設された配線ボックス７ａに取り付けられることにより、表面材１３上に固定される。
【００３１】
次に、配線器具５にプラグ１６を着脱する操作について説明する。
【００３２】
蓋本体３０及び通線用扉３３がそれぞれ閉じている状態で、蓋本体３０の開閉用ボタン３２ａを、ばね力に抗して蓋本体３０の径方向の内向きに移動させると、保持片３２ｂによる蓋本体３０の閉状態の保持が解除される。使用者は、開閉用ボタン３２ａを蓋本体３０の径方向の内向きに移動させたまま蓋部３を回転させて蓋部３を開状態にし、開口部８を通して配線器具５を露出させる。プラグ１６を開口部８から内部に挿入し、配線器具５の接続口にプラグ１６を接続する。
【００３３】
プラグ１６に接続されている電線１４をブッシング３５の切込み部に通した状態で、蓋本体３０を閉じると電線１４は溝３０ａから床材１１上に引き出される。脚片３４が載置片２３の上に載置されることにより、通線用扉３３の開状態が保持される。
【００３４】
また使用者が上述した手順と逆の手順を行うことによって、通線用扉３３を開状態から閉状態にすることができる。
【００３５】
以上説明したように、本実施形態の床用配線部材１は、取付プレート２と、丸形の蓋部３とを備える。取付プレート２は、床下に配置されてプラグ１６が着脱される配線器具５を露出させる開口部８を有し床材１１（床面）に取り付けられる。蓋部３は、取付プレート２に回転自在に支持されて開口部８を開閉する。軸４は、蓋部３が閉じている状態で蓋部３の表面と垂直な方向から見た場合に、配線器具５にプラグ１６が着脱される着脱方向（図１（ｂ）の矢印Ｄ１に沿う方向）に対して軸４の軸方向が斜めに交差するように設けられる。また軸４は、閉状態の蓋部３の表面と垂直な方向から見た場合に、蓋部３の中心Ｃ１を通って着脱方向と平行する直線Ｌ１（第１直線）との距離が、配線器具５からプラグ１６を取り外す方向（矢印Ｄ１の方向）に行くにつれて大きくなるように設けられる。
【００３６】
蓋部３の形状が四角形の場合は、軸４を蓋部３の周辺部分の１辺に設けることができるが、丸形の蓋部３では、開状態の軸４の外周部が取付プレート２の内周部に干渉することを避けるため、軸４を蓋部３の外周部よりも内側に設ける必要がある。そのため、取付プレート２の開口部８が狭くなる可能性があった。それに対して本実施形態の床用配線部材１では、蓋部３を回転自在に支持する軸４の軸方向が、蓋部３が閉じている状態で蓋部３の表面と垂直な方向から見た場合に、プラグ１６の着脱方向に対して斜めに交差する。また軸４は、閉状態の蓋部３の表面と垂直な方向から見た場合に、蓋部３の中心Ｃ１を通って着脱方向と平行する直線Ｌ１からの距離がプラグ１６の取り外し方向に行くにつれて大きくなるように設けられている。したがって、取付プレートの開口部８は、プラグ１６の着脱方向において、プラグ１６の取り外し方向に行くにつれて開口部８の幅を広くすることができ、蓋部３が邪魔にならずに開口部８に手を入れやすくなり、プラグ１６を着脱する作業がやりやすくなる。
【００３７】
また、本実施形態では軸４は、閉状態の蓋部３の表面と垂直な方向から見た場合に、直線Ｌ１（第１直線）を０度より大きく且つ９０度より小さい所定の角度Ｒ１だけ右回りに回転させた直線Ｌ２（第２直線）と平行するように設けられる。したがって、蓋部３を開いた状態でプラグ１６を接続する方向から見た場合に、蓋部３が左側に配置されるから、右手でプラグを持って開口部８に手を入れやすくなるので、プラグ１６を着脱しやすくなる。
【００３８】
本実施形態の床用配線器具１０は、配線器具５及び配線器具５を床下に取り付けるための取付金具６ａ（取付部材）を有する器具ブロック６と、床用配線部材１とを備える。床用配線器具１０は、前記した何れかの床用配線部材１を備えているのでプラグ１６を着脱しやすい。
【００３９】
尚、軸４は、閉状態の蓋部３の表面と垂直な方向から見た場合に、直線Ｌ１（第１直線）を、０度より大きく且つ９０度より小さい所定の角度Ｒ１だけ左回りに回転させた直線Ｌ２（第２直線）と平行するように設けられてもよい。
【符号の説明】
【００４０】
１  床用配線部材
１０  床用配線器具
１１  床材（床面）
１６  プラグ
２  取付プレート
２０  鍔部
３  蓋部
３０  蓋本体
３１ａ  保持部
４  軸
５  配線器具
６  器具ブロック
６ａ  取付金具
７ａ  配線ボックス
７ｃ，７ｄ  取付ねじ
８  開口部
Ｃ１  中心（蓋部の中心）
Ｄ１  矢印（プラグの取り外し方向）
Ｌ１  直線（第１直線）
Ｌ２  直線（第２直線）
Ｒ１  角度
【図１】
2015070707.tif 000003
【図２】
2015070707.tif 000004
【図３】
2015070707.tif 000005